(57)【要約】【課題】いたずらにより呼び出されることを防止するとともに通話を拒否したい相手から呼び出されることを防止できるカメラ付きインターホン装置を提供する。【解決手段】カメラ付きインターホン装置は、カメラ（４）と呼出釦（６）とを内蔵し玄関に配置される玄関機（１）および上記呼出釦の押下に応答し住戸に配置される住戸機（１１）を備え、上記カメラが撮影して得た画像に人の顔が含まれるか否かを判断するとともに、上記画像に人の顔が含まれていないとき上記玄関機と上記住戸機との間の通話を不可にする。また、上記住戸機は、通話拒否者登録釦（１６）が設けられ、上記通話拒否者登録釦が押下されたとき上記玄関機と上記住戸機との間の通話を不可にするとともに、上記カメラが撮影して得た画像に含まれる顔の画像データを記録し通話拒否者として登録する。【選択図】図１
2008301209.tif 000002
【特許請求の範囲】
【請求項１】
カメラと呼出釦とを内蔵し玄関に配置される玄関機および上記呼出釦の押下に応答し住戸に配置される住戸機を備えるカメラ付きインターホン装置において、
上記カメラが撮影して得た画像に人の顔が含まれるか否かを判断するとともに、上記画像に人の顔が含まれていないとき上記玄関機と上記住戸機との間の通話を不可にすることを特徴とするカメラ付きインターホン装置。
【請求項２】
上記住戸機は、通話拒否者登録釦が設けられ、
上記通話拒否者登録釦が押下されたとき上記玄関機と上記住戸機との間の通話を不可にするとともに、上記カメラが撮影して得た画像に含まれる顔の画像データを記録し通話拒否者として登録することを特徴とする請求項１に記載のカメラ付きインターホン装置。
【請求項３】
上記呼出釦が押下される度に上記カメラが撮影して得た画像に含まれる顔の画像データと、上記登録されている通話拒否者の顔の画像データとを照合するとともに、上記カメラが撮影して得た画像に含まれる顔の画像データと上記登録されている通話拒否者の顔の画像データとが一致したとき通話拒否者である認識し上記玄関機と上記住戸機との間の通話を不可にすることを特徴とする請求項２に記載のカメラ付きインターホン装置。
【請求項４】
上記玄関機は、発光／発音装置が設けられ、
上記認識された通話拒否者が所定の回数を超えて呼出釦を押下したとき、上記発光／発音装置にて追い払うことを特徴とする請求項３に記載のカメラ付きインターホン装置。
【請求項５】
上記玄関機は、警備会社にメッセージを通報する通報装置が設けられ、
上記呼出釦が押下される度に上記カメラが撮影して得た画像に含まれる顔の画像データと、予め登録されている手配者の顔の画像データとを照合するとともに、上記カメラが撮影して得た画像に含まれる顔の画像データと上記登録されている手配者の顔の画像データとが一致したとき手配者であると認識し警備会社に通報し、且つ上記住戸機にメッセージを表示し住戸機側の使用者に注意を促すことを特徴とする請求項１に記載のカメラ付きインターホン装置。
【発明の詳細な説明】
【技術分野】
【０００１】
この発明は、住宅などに設置されるカメラ付きインターホン装置に関するものである。
【背景技術】
【０００２】
従来、住宅の玄関などに設置されたカメラ付きインターホン玄関機が接続され、映像を確認し通話を行うテレビ付きインターホン装置は、インターホン装置が通話装置としてテレビ装置に連設されて使用されている（例えば、特許文献１参照）。
【０００３】
【特許文献１】特開平１０−３３６６３４号公報
【発明の開示】
【発明が解決しようとする課題】
【０００４】
しかし、従来のカメラ付きインターホン装置では、故意に玄関機のカメラに写らないようにしたり、顔を隠したりしての呼び出しなどいたずらを防止できず、また、通話したくない訪問者からしつこく呼び出されるという問題がある。
【０００５】
この発明の目的は、いたずらにより呼び出されることを防止するとともに通話を拒否したい相手から呼び出されることを防止できるカメラ付きインターホン装置を提供することである。
【課題を解決するための手段】
【０００６】
この発明に係るカメラ付きインターホン装置は、カメラと呼出釦とを内蔵し玄関に配置される玄関機および上記呼出釦の押下に応答し住戸に配置される住戸機を備えるカメラ付きインターホン装置において、上記カメラが撮影して得た画像に人の顔が含まれるか否かを判断するとともに、上記画像に人の顔が含まれていないとき上記玄関機と上記住戸機との間の通話を不可にする。
【発明の効果】
【０００７】
この発明に係るカメラ付きインターホン装置の効果は、いたずらによるインターホン玄関機の操作や、住戸機側使用者が通話を拒否する者の呼び出しに応対しないですむことである。その結果、インターホン装置の円滑な利用を可能にすることができる。
【発明を実施するための最良の形態】
【０００８】
図１は、この発明に係る実施の形態によるカメラ付きインターホン装置の構成を示す構成図である。図２は、この発明に係る実施の形態によるカメラ付きインターホン装置の動作処理手順を示すフローチャートである。
この発明に係る実施の形態によるカメラ付きインターホン装置は、図１に示すように、玄関に配置される玄関機１に設けられるマイク２、スピーカー３、カメラ４、制御部５、呼出釦６、カメラ４により撮影されて得られた画像から呼出釦６を押下している人の顔を解析し、照合を行うカメラ画像解析／照合部７、悪質な利用者を威嚇するための発光／発音装置８、および警備会社に通報を行う通報装置９を備える。
また、この発明に係る実施の形態によるカメラ付きインターホン装置は、住戸内に配置される住戸機１１に設けられるマイク１２、スピーカー１３、カメラ４で撮影された画像を表示する映像表示部１４、制御部１５、および通話拒否者の登録を行うための通話拒否者登録釦１６を備える。
【０００９】
カメラ４は、玄関機１の呼出釦６を押下する人の顔が写る範囲を視野として設定されており、呼出釦６が押下されると撮影する。
カメラ画像解析／照合部７は、カメラ４が撮影して得た画像が入力される。また、カメラ画像解析／照合部７は、手配者の顔の画像データと通話拒否者の顔の画像データとが記憶されている。
そして、カメラ画像解析／照合部７は、入力された画像から顔の画像が含まれているか否かを判断し、画像に顔の画像が含まれていないとき制御部５に呼出はないとする信号を送る。一方、画像に顔の画像が含まれているとき、顔の画像データを抽出し、手配者の顔の画像データおよび通話拒否者の顔の画像データと照合を行う。
【００１０】
抽出された顔の画像データと一致する手配者の顔の画像データがあるとき通報装置９を動作して警備会社２１に通報するとともに制御部５から住戸機１１の映像表示部１４に手配者が居ることを表示する。
また、抽出された顔の画像データと一致する通話拒否者の顔の画像データがあるとき制御部５に呼出がないとする信号を送る。
また、抽出された顔の画像データと一致する手配者または通話拒否者の顔の画像データがないとき、制御部５にカメラ４が撮影した画像データを送り、制御部５は画像データを住戸機１１の制御部１５に送る。住戸機１１の制御部１５は、画像データを映像表示部１４に表示する。
【００１１】
次に、この発明に係る実施の形態によるカメラ付きインターホン装置の動作処理手順を図２を参照して説明する。
ステップＳ１において、玄関機１の呼出釦６が押下されたか否かを判断し、呼出釦６が押下されたときステップＳ２に進み、呼出釦６が押下されないときステップＳ１を繰り返す。
ステップＳ２において、カメラ４が予め決められている視角の範囲を撮影し画像を取り込む。そして、画像の中に人の顔が写っているか否かを判断し、画像の中に人の顔が写っているときステップＳ３に進み、画像の中に人の顔が写っていないときステップＳ１に戻る。
これにより、玄関機１を操作した人の顔がカメラ４が撮影した画像の中に写っていないとき玄関機１と住戸機１１との間の通話を不可とするので、顔をカメラ４の視界から外したり、顔を隠したりして玄関機１をいたずらした人に住戸側の人が呼び出されることがない。
【００１２】
ステップＳ３において、画像の中に含まれる人の顔の画像データを予め登録されている手配者の顔の画像データと照合し、画像の中に含まれる人の顔の画像データに一致する手配者の顔の画像データがあるときステップＳ４に進み、画像の中に含まれる人の顔の画像データに一致する手配者の顔の画像データがないときステップＳ５に進む。
ステップＳ４において、警備会社２１と住戸に居住している人に通報してステップＳ１に戻る。
【００１３】
ステップＳ５において、画像の中に含まれる人の顔の画像データを予め登録されている通話拒否者の顔の画像データと照合し、画像の中に含まれる人の顔の画像データに一致する通話拒否者の顔の画像データがあるときステップＳ６に進み、画像の中に含まれる人の顔の画像データに一致する通話拒否者の顔の画像データがないときステップＳ８に進む。
ステップＳ６において、通話拒否者として認識した人が所定の回数以上呼出釦６を押下したか否かを判断し、所定の回数未満のときステップＳ１に戻り、所定の回数以上のときステップＳ７に進む。
ステップＳ７において、発光／発音装置８を動作して呼出釦６を押下し続けている通話拒否者を追い払いステップＳ１に戻る。
【００１４】
ステップＳ８において、玄関機１が住戸機１１を呼び出してステップＳ９に進む。
ステップＳ９において、住戸に居住している人が住戸機１１の図示しない応答釦を押下して応答したか否かを判断し、応答がないときにはステップＳ９を繰り返し、応答があったときにはステップＳ１０に進む。
ステップＳ１０において、玄関機１と住戸機１１との間の回線を接続し、通話を可能とする。
ステップＳ１１において、住戸機１１の図示しない終了釦が押されて通話が終了したか否かを判断し、通話が終了したときステップＳ１４に進み、通話が終了しないときステップＳ１２に進む。
【００１５】
ステップＳ１２において、住戸機１１の通話拒否者登録釦１６が押下されたか否かを判断し、通話拒否者登録釦１６が押下されていないときステップＳ１１に戻り、通話拒否者登録釦１６が押下されたときステップＳ１３に進む。
ステップＳ１３において、画像の中に含まれる人の顔のデータを通話拒否者の顔のデータとして登録してステップＳ１４に進む。
ステップＳ１４において、玄関機１と住戸機１１との間の回線を切断してステップＳ１に戻る。
【００１６】
この発明に係るカメラ付きインターホン装置は、利用者が玄関機１の呼出釦６を押下したときカメラ４により利用者が存在する範囲を撮影し、撮影した画像の中に顔が写っているときだけインターホンの操作を可能とするので、顔をカメラ４の視角から外したり、顔を隠したりしていたずらした場合住戸機側使用者は呼び出されず、いたずらの迷惑を受けることがなくなる。
【００１７】
また、住戸機側使用者が通話拒否者登録釦１６を押下してある利用者との通話を拒否すると、回線は切断されるが、同時にこの利用者の顔の画像データが通話拒否者の顔の画像データとして登録されるので、それ以降この利用者が呼出釦６を押下してもカメラ４が撮影する画像の中に含まれる顔データが通話拒否者の顔データと照合されて一致しインターホンの使用が不可となり、住戸機側使用者が呼び出されることもなく、もちろん通話もすることがない。
【００１８】
また、通話が拒否された人がしつこく呼出釦６を押下し続けたとき発光／発音装置８を動作させて追い払うことができる。
【図面の簡単な説明】
【００１９】
【図１】この発明に係る実施の形態によるカメラ付きインターホン装置の構成を示す構成図である。
【図２】この発明に係る実施の形態によるカメラ付きインターホン装置の動作処理手順を示すフローチャートである。
【符号の説明】
【００２０】
１  玄関機、２  マイク、３  スピーカー、４  カメラ、５  制御部、６  呼出釦、７  カメラ画像解析／照合部、８  発光／発音装置、９  通報装置、１１  住戸機、１２  マイク、１３  スピーカー、１４  映像表示部、１５  制御部、１６  通話拒否者登録釦、２１  警備会社。
【図１】
2008301209.tif 000003
【図２】
2008301209.tif 000004